(57)【特許請求の範囲】
【請求項１】
携帯可能なユーザ端末からネットワークを介してアクセス可能なサーバを備える外出先での店検索システムであって、
前記サーバは、
前記ユーザ端末から送信された位置情報に基づいて、前記ユーザ端末の位置を確認する位置確認手段と、
前記位置確認手段によって確認された前記ユーザ端末の位置付近を検索範囲の地域的条件として、少なくとも所定の検索条件を含む店の情報が格納された第１のデータベースを検索し、前記ユーザ端末から送信された検索条件に該当する店を抽出し、前記抽出された店の情報を前記ユーザ端末へ送信して店の選択を促す店検索手段と、
前記ユーザ端末から送信された所定の店を選択する選択情報に基づいて、前記選択された店の位置と前記ユーザ端末の位置とを表示する地図情報を前記ユーザ端末へ表示させる地図情報手段と、
前記ユーザ端末から送信された検索条件について、少なくとも各検索条件と各検索条件が検索された回数とを含む条件情報を、第２のデータベースへ格納する条件情報登録手段と、
店舗用端末からのネットワークを介したアクセスに応答して、前記第２のデータベースに格納された条件情報の閲覧を許可する条件情報閲覧手段とを有する外出先での店検索システム。
【請求項２】
前記条件情報登録手段は、前記位置確認手段によって確認された前記ユーザ端末の位置と関連付けて、前記条件情報を前記第２のデータベースへ格納する請求項１に記載の外出先での店検索システム。
【請求項３】
前記条件情報登録手段は、前記条件情報に含まれる各検索条件が検索される頻度が高い時間帯を算出して前記第２のデータベースへ格納する請求項１または２に記載の外出先での店検索システム。
【請求項４】
前記位置情報は、基地局の位置情報とＧＰＳ信号による位置情報とを含み、前記位置確認手段は、前記基地局の位置情報を用いて所定の範囲の地域を特定し、前記ＧＰＳ信号による位置情報を用いて前記ユーザ端末の正確な位置を割り出す請求項１〜３のいずれかに記載の外出先での店検索システム。
【請求項５】
前記第１のデータベースが格納する検索条件は、各店の商品の在庫管理データを含み、前記店検索手段は、検索条件とされた商品の在庫を有さない店を、検索対象から除外する請求項１〜４のいずれかに記載の外出先での店検索システム。
【請求項６】
前記第１のデータベースが格納する検索条件に含まれる在庫管理データは、各店の在庫状況をリアルタイムに反映する請求項５に記載の外出先での店検索システム。
【請求項７】
前記ユーザ端末から送信された検索条件は、ユーザが任意に設定可能である請求項１〜６のいずれかに記載の外出先での店検索システム。
【請求項８】
携帯可能なユーザ端末と、店舗用端末と、これらユーザ端末および店舗用端末とネットワークを介して接続可能なサーバとを備える外出先での店検索システムであって、
前記サーバは、
前記ユーザ端末から送信された位置情報に基づいて、前記ユーザ端末の位置を確認する位置確認手段と、
前記位置確認手段によって確認された前記ユーザ端末の位置付近を検索範囲の地域的条件として、少なくとも所定の検索条件を含む店の情報が格納された第１のデータベースを検索し、前記ユーザ端末から送信された検索条件に該当する店を抽出し、前記抽出された店の情報を前記ユーザ端末へ送信して店の選択を促す店検索手段と、
前記ユーザ端末から送信された所定の店を選択する選択情報に基づいて、前記選択された店の位置と前記ユーザ端末の位置とを表示する地図情報を前記ユーザ端末へ表示させる地図情報手段と、
前記ユーザ端末から送信された検索条件について、少なくとも各検索条件と各検索条件が検索された回数とを含む条件情報を、第２のデータベースへ格納する条件情報登録手段と、
前記店舗用端末からのネットワークを介したアクセスに応答して、前記第２のデータベースに格納された条件情報の閲覧を許可する条件情報閲覧手段とを有し、
前記ユーザ端末は、
前記ユーザ端末の位置情報を取得して、前記サーバへ送信する位置情報取得手段と、
前記サーバへ送信される、前記検索条件および前記選択情報を入力する入力手段と、
前記サーバから送信された、前記抽出された店の情報と前記地図情報とを表示する表示手段とを有し、
前記店舗用端末は、前記サーバへアクセスして前記第２のデータベースに格納された条件情報を閲覧する閲覧手段を有する、外出先での店検索システム。
【請求項９】
コンピュータを、
携帯可能なユーザ端末からネットワークを介して送信された位置情報に基づいて、前記ユーザ端末の位置を確認する位置確認手段、
前記位置確認手段によって確認された前記ユーザ端末の位置付近を検索範囲の地域的条件として、少なくとも所定の検索条件を含む店の情報が格納された第１のデータベースを検索し、前記ユーザ端末から送信された検索条件に該当する店を抽出し、前記抽出された店の情報を前記ユーザ端末へ送信して店の選択を促す店検索手段、
前記ユーザ端末から送信された所定の店を選択する選択情報に基づいて、前記選択された店の位置と前記ユーザ端末の位置とを表示する地図情報を前記ユーザ端末へ表示させる地図情報手段、
前記ユーザ端末から送信された検索条件について、少なくとも各検索条件と各検索条件が検索された回数とを含む条件情報を、第２のデータベースへ格納する条件情報登録手段、
所定の店舗用端末からのネットワークを介したアクセスに応答して、前記第２のデータベースに格納された条件情報の閲覧を許可する条件情報閲覧手段、として機能させるためのプログラム。
【発明の詳細な説明】
【０００１】
【発明の属する技術分野】
本発明は、外出先から、所定の商品やサービスを提供している店を検索するシステムに関し、特に、ユーザの現在位置付近の店を検索してこの店の位置をユーザの位置とともに地図上に表示するシステムに関する。
【０００２】
【従来の技術】
従来、街に出かけていて、そこで飲食店や特定の商品がどこで売っているかを探すとき、今までは、ガイドブックを調べたり、友達に聞いたり、適当に歩いて探したりしていた。
【０００３】
【発明が解決しようとする課題】
しかしながら、携帯電話で探せるようになっても、飲食店であれば、住所や電話番号くらいしかわからないので、行きたい場所にたどり着けないこともある。また、商品に関しては、大きな分類（例えばＣＤ（コンパクトディスク）店など）でしか調べられないという問題がある。
【０００４】
本発明は、以上の問題点を解決するために、詳しい（検索の）条件設定をおこない、その検索結果でユーザが今いる付近の店が地図上で表示され、ナビゲーションの機能を持つものを提供することを目的とする。
【０００５】
【課題を解決するための手段】
そこで、本発明では、ユーザが携帯電話や専用端末を用いて、位置情報システムを利用することで、現在地近くの知りたい店情報をデータベースから検索し、ナビゲーション機能のある地図で表示され、（店を）探す手間と時間を短縮するようにした。
【０００６】
具体的には、本発明は、携帯可能なユーザ端末からネットワークを介してアクセス可能なサーバを備える外出先での店検索システムであって、前記サーバは、前記ユーザ端末から送信された位置情報に基づいて、前記ユーザ端末の位置を確認する位置確認手段と、前記位置確認手段によって確認された前記ユーザ端末の位置付近を検索範囲の地域的条件として、少なくとも所定の検索条件を含む店の情報が格納された第１のデータベースを検索し、前記ユーザ端末から送信された検索条件に該当する店を抽出し、前記抽出された店の情報を前記ユーザ端末へ送信して店の選択を促す店検索手段と、前記ユーザ端末から送信された所定の店を選択する選択情報に基づいて、前記選択された店の位置と前記ユーザ端末の位置とを表示する地図情報を前記ユーザ端末へ表示させる地図情報手段と、前記ユーザ端末から送信された検索条件について、少なくとも各検索条件と各検索条件が検索された回数とを含む条件情報を、第２のデータベースへ格納する条件情報登録手段と、店舗用端末からのネットワークを介したアクセスに応答して、前記第２のデータベースに格納された条件情報の閲覧を許可する条件情報閲覧手段とを有する外出先での店検索システムを含む。
【０００７】
また、前記条件情報登録手段は、前記位置確認手段によって確認された前記ユーザ端末の位置と関連付けて、前記条件情報を前記第２のデータベースへ格納するようにする。
【０００８】
さらに、前記条件情報登録手段は、前記条件情報に含まれる各検索条件が検索される頻度が高い時間帯を算出して前記第２のデータベースへ格納するようにする。
【０００９】
そして、前記位置情報は、基地局の位置情報とＧＰＳ信号による位置情報とを含み、前記位置確認手段は、前記基地局の位置情報を用いて所定の範囲の地域を特定し、前記ＧＰＳ信号による位置情報を用いて前記ユーザ端末の正確な位置を割り出すようにする。
【００１０】
また、前記第１のデータベースが格納する検索条件は、各店の商品の在庫管理データを含み、前記店検索手段は、検索条件とされた商品の在庫を有さない店を、検索対象から除外するようにする。
【００１１】
さらに、前記第１のデータベースが格納する検索条件に含まれる在庫管理データは、各店の在庫状況をリアルタイムに反映するようにする。
【００１２】
そして、前記ユーザ端末から送信された検索条件は、ユーザが任意に設定可能であるようにする。
【００１３】
さらに、上記システムの発明は、方法の発明としても成立する。また、上記発明は、コンピュータに所定の機能を実現させるプログラムまたはそのプログラムを記録した記録媒体としても成立する。
【００１４】
なお、本明細書において、手段とは、ハードウェア，ソフトウェアまたはハードウェアおよびソフトウェアの組み合せによって実現される場合を含む。また、１つの手段が有する機能が２つ以上のハードウェア，ソフトウェアまたはハードウェアおよびソフトウェアの組み合せによって実現されても、２つ以上の手段の機能が１つのハードウェア，ソフトウェアまたはハードウェアおよびソフトウェアの組み合せによって実現されても良い。
【００１５】
本発明の検索対象となる店は、業種，規模等によって特に限定されない。小売店等の一般的な商店の他、飲食店等のサービスを提供する店、テーマパーク等の大型の施設、図書館等の公共的な施設であってもよい。
【００１６】
【発明の実施の形態】
以下、本発明の実施の形態について図面を参照して説明する。ここで、図１は、本発明の実施の形態に係る外出先での店検索システムの構成を示すブロック図であり、図２は、本発明の検索情報データベースの構成例を示す図であり、図３は、本発明の条件情報データベースの構成例を示す図である。図１に示すように、本システムは、情報を検索する端末（移動機または専用端末）１と情報を格納したデータベース、およびデータベースにアクセスし、情報の追加変更が可能な端末機械３で構成される。
【００１７】
現在の位置情報は、移動機１の位置情報から取得するか専用端末によってＧＰＳで得ることができる。基地局４の位置情報により、ある範囲の地域を特定し、小さなＧＰＳ受信装置を携帯端末１に内蔵することによって正確な位置を割り出すようにしてもよい。
【００１８】
このようにすることにより、移動機１から管理センター２にアクセスすると、その時点で検索地域はある範囲に絞られ、検索時間の効率化をはかることができる。
【００１９】
ユーザ端末１には、地図のソフトウェア、アイモード（Ｒ）などネットワークにつながる環境、ＧＰＳ受信装置が内蔵されている。ユーザは、移動機１で管理センター２にアクセスするだけで、画面表示にそって入力していけば、最終的には目的地と現在地が表示されている地図を得ることができる。
【００２０】
データベースは検索情報データベースと条件情報データベースの二つがある。二つとも管理センター２が管理している。
【００２１】
店の端末３は、商店においては、在庫管理データをそのまま登録することができるようにする。また、オンラインにしておけば、在庫状況が瞬時に反映され、より信頼性を高めることができる。飲食店は、メニューを登録することのほかに、変わった名前を付けている場合には一般的な名前にしておくことが必要である。さらに、詳しい情報を提供するところにはホームページにそのままリンクさせてもよい。
【００２２】
より詳細に説明すると、図１に示されるように、本発明の実施の形態に係る外出先での店検索システムは、ユーザ端末１と、管理センター２と、店舗用端末３とから構成される。
【００２３】
（ユーザ端末）
ユーザ端末１は、インターネット等のネットワークを介して管理センター２と接続する機能を有する。同様に、店舗用端末３もインターネット等のネットワークを介して管理センター２と接続する機能を有する。
【００２４】
ユーザ端末１は、携帯電話，ＰＨＳ，ＰＤＡ等の携帯可能な情報処理端末によって実現可能である。また、ユーザ端末１は、インターネット等のネットワークに接続するネットワーク接続機能を有する。
【００２５】
また、ユーザ端末１は、携帯電話，ＰＨＳ等の基地局４からユーザ端末１の位置情報を取得する位置情報取得手段を有する。また、位置情報取得手段は、複数の基地局４の位置情報と、基地局４からの電波の受信レベルである電解強度情報とに基づいてユーザ端末１のより正確な位置情報を演算して取得するようにしてもよい。
【００２６】
さらに、ユーザ端末１は、ＧＰＳ受信装置を内蔵し、このＧＰＳ受信装置がＧＰＳ衛星５から送信されるＧＰＳ信号を受信して位置情報を演算する。そして、この演算された位置情報は、位置情報取得手段に送られて取得されるようにしてもよい。また、受信したＧＰＳ信号をそのまま位置情報として位置情報取得手段に送信してもよい。
【００２７】
このようにすることにより、基地局の位置情報によってある範囲の地域を特定し、小さなＧＰＳ受信装置を携帯端末に内蔵することによって正確な位置を割り出すことができる。
【００２８】
また、位置情報取得手段は、取得した位置情報を、ネットワークを介して管理センター２へ送信する機能を有する。このようにすることにより、ユーザ端末１から管理センター２にアクセスすると、その時点で検索地域はある範囲に絞られ、検索時間の効率化をはかることができる。
【００２９】
そして、ユーザ端末１は、入力キー，タッチパネル等によって実現される入力手段を有する。この入力手段は、検索条件，店の選択情報等を入力するために使用される。また、ユーザ端末１は、液晶ディスプレイ等によって実現される表示手段を有する。この表示手段は、管理センター２から送信された情報，地図情報等を表示する。
【００３０】
さらに、ユーザ端末１は、地図表示手段を有する。地図表示手段は、ユーザ端末１の現在地と目的地（検索された店舗）とを表示する地図情報を表示手段に表示させる機能を有する。
【００３１】
また、ユーザ端末１は、地図作成手段を有する。この地図作成手段は、図示しない地図データベースを用いて、ユーザ端末１の現在地と目的地（検索された店舗）とを表示する地図情報を作成する機能を有する。具体的には、地図作成手段は、位置情報取得手段からのユーザ端末１の位置情報と、管理センター２から送信される店の店舗位置情報とに基づいて、ユーザ端末１の位置と目的地となる店舗の位置とを表示する周辺地図を作成する。
【００３２】
（管理センター）
管理センター２は、図示しないデータベースサーバによって実現される、あるいはデータベースサーバを備える。そして、管理センター２は、検索情報データベースと条件情報データベースとを有する。
【００３３】
検索情報データベースは、店の情報を格納する。店の情報は、後述するように店舗用端末３によって登録されまたは変更されるものである。また、この店の情報には、例えば図２に示されるように、店の名称，店舗の位置情報，検索条件，店の詳細情報，地域コード等が含まれる。
【００３４】
店舗の位置情報には、例えば住所，緯度および経度等が含まれる。また、検索条件は、その店が検索によってヒットされるためのキーワードであり、例えばその店が取り扱う商品（食品，雑貨，靴等）名，サービス名（観光案内，美容等），メニュー（カプチーノ，ジェラート等）等が含まれる。
【００３５】
さらに、検索条件として、店の在庫管理データ（例えば、各商品についての在庫の有無）を登録するようにしてもよい。具体的には、例えば在庫ありの場合はフラグ「１」を、在庫なしの場合はフラグ「０」を登録することにより、在庫数がゼロの商品を検索対象から除外するようにしてもよい。また、例えば店舗用端末３と管理センター２とをオンラインにし、商品の在庫状況をリアルタイムに検索条件に反映するようにしてもよい。このようにすることにより、検索時において、検索条件となる商品が確実に在庫されている店のみを検索することが可能となる。
【００３６】
店の詳細情報は、ユーザに対して提供される情報であり、例えば店のＰＲ情報等が該当する。なお、登録される形式は、店のホームページのＵＲＬをリンク先として登録するようにしてもよく、詳細情報が含まれたｈｔｍｌファイル自体を登録するようにしてもよい。
【００３７】
地域コードは、その店が位置するエリアを識別するために、例えば「虎ノ門」のような所定のエリアごとに与えられるコードである。
【００３８】
一方、条件情報データベースは、データベースサーバに対して、ユーザによって入力された検索条件とその検索条件が検索された回数情報とを格納する。
【００３９】
具体的には、例えば図３に示されるように、地域コード，検索条件，累計被検索回数，期間被検索回数，対象期間，最頻時間帯等が格納される。
【００４０】
地域コードは、ユーザが店の検索をおこなった時点で、そのユーザが位置していたエリアの地域コードを示す。
【００４１】
検索条件は、ユーザが実際に検索条件として入力した条件であり、各検索条件について、その入力された回数が累計被検索回数に累積される。
【００４２】
期間被検索回数は、所定の対象期間内において、各検索条件が入力された回数を示す。そして、最頻時間帯は、各検索条件について、検索される頻度が高い時間帯を示す。
【００４３】
管理センター２は、ユーザ端末１からのアクセスに応答して、入力画面を送信し、ユーザに対してジャンルの選択（商店検索，飲食店検索等）および検索条件の入力を促す検索条件入力促進手段を有する。
【００４４】
また、ユーザ端末１から送信された位置情報に基づいて、ユーザ端末１の現在位置を確認する位置確認手段を有する。
【００４５】
そして、位置確認手段によって特定されたユーザ端末１の位置に基づいて、ユーザが位置する地域を特定し、この地域を検索範囲の地域的条件として検索情報データベースを検索し、特定された地域に存在し、かつユーザ端末１から受信した検索条件に該当する店を検索し抽出する店検索手段を有する。また、店検索手段は、抽出した店の一覧を作成し、この一覧をユーザ端末１へ送信する機能を有する。また、一覧内の各店表示欄に検索情報データベースに登録された各店の詳細情報へのリンクを含ませるようにすることもできる。これにより、ユーザが一覧内の所望の店を選択することで、さらなる詳細情報をユーザ端末１へ表示させることができる。
【００４６】
そして、ユーザ端末１からの所定の店の選択情報の受信に基づいて、選択された店の店舗位置情報を検索情報データベースを用いて抽出し、ユーザ端末１へ送信する店舗位置確認手段を有する。
【００４７】
さらに、管理センター２が第２の地図作成手段を有する構成としてもよい。この場合には、第２の地図作成手段は、図示しない地図データベースを用いて、ユーザ端末１の現在地と目的地とを表示する地図情報を作成する機能を有する。具体的には、位置確認手段によって特定されたユーザ端末１の位置と、店舗位置確認手段によって抽出された店の位置とに基づいて、ユーザ端末１の位置と店の位置とを表示する周辺地図を作成してユーザ端末１へ送信する。そして、ユーザ端末１の地図表示手段が、受信した周辺地図を表示させる。
【００４８】
そして、管理センター２は、ユーザ端末１に入力され送信された検索条件を、条件情報データベースに登録する条件情報登録手段を有する。条件情報登録手段は、位置確認手段によって確認されたユーザ端末１の位置に基づいて、地域コードと関連付けて検索条件を登録する。なお、条件情報登録手段は、該当する地域コードにおいて、既にその検索条件が条件情報データベースに登録されているか否か判断し、登録されている場合にはその被検索回数を更新し、未登録の場合には、当該検索条件を新たな検索条件として登録する。
【００４９】
このようにすることにより、ユーザは、任意の検索条件を入力することが可能となる。また、各地域において、それぞれの商品またはサービスに対するニーズの程度を判断することが可能となり、地域ごとにニーズの大きい商品を把握することが可能となる。
【００５０】
また、条件情報登録手段は、各検索条件が検索される頻度が高い時間帯を算出して最頻時間帯として格納する。
【００５１】
このようにすることにより、それぞれの商品またはサービスに対してニーズの大きい時間帯が判断でき、その時間帯に営業時間，メニュー等を対応させることができるので、きめの細かい営業戦略を実行することが可能となる。
【００５２】
また、管理センター２は、店舗用端末３からのアクセスに応答して、パスワード等によって各店の認証を行い、条件情報データベースに格納された条件情報の閲覧を許可する条件情報閲覧手段を有する。条件情報閲覧手段は、また、アクセスしてきた各店の属する地域を判別し、その地域ごとの条件情報を閲覧させるようにしてもよい。さらに、条件情報閲覧手段は、アクセスしてきた各店が登録している検索条件を判別して図３に示されるように表示するようにしてもよい。
【００５３】
また、管理センター２は、店舗用端末３からのアクセスに応答して、登録画面または変更画面を送信し、検索情報の入力を促す。そして、入力された検索情報を用いて、検索情報データベースを更新（新規登録または変更登録）する検索情報登録手段を有する。
【００５４】
（店舗用端末）
店舗用端末３は、パーソナルコンピュータ，ワークステーション等の情報処理装置によって実現可能である。
【００５５】
店舗用端末３は、管理センター２にアクセスして、店の新規登録を行う機能，登録内容の更新を行う機能，検索データの参照を行う機能を有する。
【００５６】
具体的には、管理センター２へアクセスし、登録画面を受信して表示し、入力された検索情報データベースの各項目についての情報を管理センター２へ送信して新規登録する。
【００５７】
また、店名およびパスワードを入力して管理センター２へアクセスし、変更画面を受信して表示し、入力された更新情報を送信して検索情報データベースを更新する。
【００５８】
さらに、店名およびパスワードを入力して管理センター２へアクセスし、条件情報データベースに格納された条件情報を閲覧する。
【００５９】
また、店舗用端末３は、ＰＯＳ等によって管理された商品等の在庫情報を用いて、管理センター２の検索情報データベースに登録された検索条件（在庫管理データ）を更新する在庫情報更新手段を有するようにしてもよい。このようにすることにより、在庫管理データを検索情報データベースに登録し更新することができる。また、管理センター２と店舗用端末３とをオンラインにしておけば、在庫状況が検索情報データベースへ瞬時に反映され、より信頼性を高めることができる。
【００６０】
以上のような構成により、ユーザは、ユーザ端末１で管理センター２にアクセスするだけで、画面表示にそって入力していけば、最終的には目的地と現在地が表示されている地図を得ることができる。
【００６１】
（実施の形態の動作の説明）
次に、本発明の実施の形態の動作について図面を参照して説明する。ここで、図４は、本発明の実施の形態に係る外出先での店検索システムの動作を説明する図である。図４において、ユーザは、自分が店を探したい地点で、管理センター２にアクセスする（ステップ１）。すると、商店検索か飲食店検索かを選択する画面が出て（ステップ２）、その後、条件を各自自由に設定する（ステップ３）。
【００６２】
管理センター２では、アクセスがあった時点で、位置情報システムが働き、現在地を確定する。そして、その付近の地図を表示させ（ステップ４）、付近の商店または飲食店の（検索）情報データベースで検索を行い（ステップ５）、条件と一致した店のみを抽出し（ステップ６）、前もって登録された店が表示される。その店を一覧表示（条件，店の名前等を含む）させ、ユーザに返す（ステップ７）。なお、店検索の際に、検索される商品の在庫数が０の店は除かれる。
【００６３】
ユーザは、その店の一覧をみて一つ選択すると、そこから、直接店のホームページや、特色が書かれたページにつながる（ステップ８）。ユーザが見終わると、その店でいいかどうかが表示され、ＯＫとすると、現在地とその店の位置が地図上に表示される（ステップ９）。一方、ＯＫしない場合には、検索結果の一覧表示に戻る。
【００６４】
管理センター２は、それぞれの条件情報データベースで（検索）条件の登録を行う（ステップ１０）。例えば、管理センター２は、ユーザ端末１の現在位置と関係付けて、入力された検索条件とその回数とを条件情報データベースへ登録する。
【００６５】
店側は、管理センター２にアクセスすると（ステップ２１）、新規登録・変更・検索データの参照のどれかを選ぶ画面が表示される（ステップ２２）。検索を選択すると、店名・パスワードを入力する画面が表示され（ステップ２３）、その後、検索条件のデータ（検索条件とその回数）の一覧表示を見ることができる。
【００６６】
新規登録画面では、店の位置情報と、メニューや在庫管理データなどの検索条件の情報、さらに、抽出結果から選ばれたときにリンクする店の情報ページを登録する。登録を変更したいときは、管理センター２にアクセスし、内容の更新を選択、店名とパスワードを入力する。すると、変更画面が表示され、更新できる（ステップ２４）。
【００６７】
【発明の効果】
以上説明したように、本発明によれば、第１の効果は、ユーザがいつでもどこでも求めている商品が、携帯電話という身近にあるものを利用して、近くのどのお店にあるか検索でき、迷わずに行くことができ、探し回る手間と時間が省けることである。その理由は、飲食店であれば、そのメニューから検索でき、その他のお店では、商品の在庫データから検索できるからである。また、位置情報システムを利用することで、ユーザの現在地とお店の位置とが表示されるからである。
【００６８】
第２の効果は、店側としては、その地域ではどの商品を求めている人が多いかがわかり、今後の参考になることである。その理由は、検索条件とその条件が検索された回数が入ったデータベースを店側が見れるからである。
【００６９】
また、条件入力の値を記録することにより、その地域では、今現在どの商品を求める人が多いかの動向調査もまとめてでき、それによって、在庫の品揃えを検討することができる。
【図面の簡単な説明】
【図１】本発明の実施の形態に係る外出先での店検索システムの構成を示すブロック図である。
【図２】本発明の検索情報データベースの構成例を示す図である。
【図３】本発明の条件情報データベースの構成例を示す図である。
【図４】本発明の実施の形態に係る外出先での店検索システムの動作を説明する図である。
【符号の説明】
１  ユーザ端末
２  管理センター
３  店舗用端末
４  基地局
５  ＧＰＳ衛星
【図１】
0003678682.tif 000002
【図２】
0003678682.tif 000003
【図３】
0003678682.tif 000004
【図４】
0003678682.tif 000005